(57)【要約】      （修正有）【課題】ノイズを低減する遠心ファンブレード構造を提供する。【解決手段】遠心ファンブレード構造１は、ハブ輪１１と、第１ブレード体組１２と、第２ブレード体組１３と、を含む。ハブ輪は、延伸部１１１を有し、第１側１１１１及び第２側１１１２を有し、第１、第２ブレード体組は、それぞれ第１、第２側に設けられ、第１ブレード体組は、第１入風口１２２及び第１出風口１２３を有し、第２ブレード体組は、第２入風口１３２及び第２出風口１３３を有し、第１、第２出風口１２３は、不均等な間隔を呈して設置する。【選択図】図１
0003179754.tif 000002
【実用新案登録請求の範囲】
【請求項１】
延伸部を有し、該延伸部が第１側及び第２側を有するハブ輪と、
前記第１側に設けられ、複数の第１ブレード体を有し、該第１ブレード体の間に第１入風口及び第１出風口を有し、該第１出風口は、不均等な間隔を呈して設置される第１ブレード体組と、
前記第２側に設けられ、複数の第２ブレード体を設け、該第２ブレード体の間に第２入風口及び第２出風口を有する第２ブレード体組と、
を含む遠心ファンブレード構造。
【請求項２】
前記第１ブレード体組は、該延伸部の第１側から該ハブ輪に相反する方向へ延伸して構成され、該第１ブレード体は、第１端及び第２端を有し、該第１入風口は、２つの隣り合う第１ブレード体の第１端により共同で定義され、該第１出風口は、２つの隣り合う第２端により共同で定義され、前記第２ブレード体組は、該延伸部の第２側から該ハブ輪に相反する方向に延伸して構成され、該第２ブレード体は、第３端及び第４端を有し、該第２入風口は、２つの隣り合う第３端により共同で定義され、該第２出風口は、２つの隣り合う第４端により共同で定義されて構成される請求項１に記載の遠心ファンブレード構造。
【請求項３】
前記第１端は、第１ピッチ円を共同で定義し、該第１ピッチ円及び該第１端が互いに交わる接線方向に第１接線を有し、該第１ブレード体は、第１ブレード体中線を定義し、該第１ブレード体中線及び該第１端が互いに交わる接線方向に第２接線を有し、該第２接線及び該第１接線が交わり、共同で第１入風角を定義し、該第２端が共同で第２ピッチ円を定義し、該第２ピッチ円及び該第２端が互いに交わる接線方向に第３接線を有し、該第１ブレード体中線及び前記第２端が互いに回る接線方向に第４接線を有し、該第３、第４接線が共同で第１出風角を定義し、該第３端が共同で第３ピッチ円を定義し、該第３ピッチ円及び該第３端が互いに交わる接線方向に第５接線を有し、該第２ブレード体が第２ブレード体中線を定義し、該第２ブレード体中線及び該第３端が互いに交わる接線方向に第６接線を有し、該第５接線及び該第６接線が互いに交わり、共同で第２入風角を定義し、該第４端が共同で第４ピッチ円を定義し、該第４ピッチ円及び該第４端が互いに交わる接線方向に第７接線を有し、該第２ブレード体中線及び該第４端が互いに交わる接線方向に第８接線を有し、該第７、第８接線は、共同で第２出風角を定義する請求項２に記載の遠心ファンブレード構造。
【請求項４】
前記第１入風角は、前記第２入風角より大きいか、等しい請求項３に記載の遠心ファンブレード構造。
【請求項５】
前記第１出風角は、前記第２出風角より大きいか、等しい請求項３に記載の遠心ファンブレード構造。
【請求項６】
前記第１入風角は、前記第２入風角より小さいか、等しい請求項３に記載の遠心ファンブレード構造。
【請求項７】
前記第１出風角は、前記第２出風角より小さいか、等しい請求項３に記載の遠心ファンブレード構造。
【請求項８】
前記第２端の高さは、該第４端の高さより大きい請求項２に記載の遠心ファンブレード構造。
【請求項９】
前記第４端の高さは、該第２端の高さより大きい請求項２に記載の遠心ファンブレード構造。
【請求項１０】
前記第１ブレード体の長さは、該第２ブレード体の長さより大きい請求項１に記載の遠心ファンブレード構造。
【請求項１１】
前記第２ブレード体の長さは、該第１ブレード体の長さより大きい請求項１に記載の遠心ファンブレード構造。
【請求項１２】
前記第１端は、該第３端と互いに対応する請求項２に記載の遠心ファンブレード構造。
【請求項１３】
前記第１端は、該第３端と互いに対応せず、該第１、第２入風口が互いに対応しない請求項３に記載の遠心ファンブレード構造。
【請求項１４】
前記第１ブレード体の数量は、該第２ブレード体の数量より多い請求項１に記載の遠心ファンブレード構造。
【請求項１５】
前記第２ブレード体の数量は、該第１ブレード体の数量より多い請求項１に記載の遠心ファンブレード構造。
【請求項１６】
前記第２ブレード体組は、等間隔及び不均等な間隔を何れか１つの方式で設置される請求項１に記載の遠心ファンブレード構造。
【請求項１７】
延伸部を有し、該延伸部は、第１側及び第２側を有するハブ輪と、
前記第１側に設けられ、複数の第１ブレード体を有し、該第１ブレード体の間に第１入風口及び第１出風口を有し、該第１出風口は、等間隔を呈して設置される第１ブレード体組と、
前記第２側に設けられ、複数の第２ブレード体を設け、該第２ブレード体の間に第２入風口及び第２出風口を有し、該第２出風口は、不均等な間隔を呈して設置される第２ブレード体組と、
を含む遠心ファンブレード構造。
【請求項１８】
前記第１ブレード体組は、該延伸部の第１側から該ハブ輪に相反する方向へ延伸して構成され、該第１ブレード体は、第１端及び第２端を有し、該第１入風口は、２つの隣り合う第１ブレード体の第１端により共同で定義され、該第１出風口は、２つの隣り合う第２端により共同で定義され、前記第２ブレード体組は、該延伸部の第２側から該ハブ輪に相反する方向に延伸して構成され、該第２ブレード体は、第３端及び第４端を有し、該第２入風口は、２つの隣り合う第３端により共同で定義され、該第２出風口は、２つの隣り合う第４端により共同で定義される請求項１７に記載の遠心ファンブレード構造。
【請求項１９】
前記第１端は、第１ピッチ円を共同で定義し、該第１ピッチ円及び該第１端が互いに交わる接線方向に第１接線を有し、該第１ブレード体は、第１ブレード体中線を定義し、該第１ブレード体中線及び該第１端が互いに交わる接線方向に第２接線を有し、該第２接線及び該第１接線が交わり、共同で第１入風角を定義し、該第２端が共同で第２ピッチ円を定義し、該第２ピッチ円及び該第２端が互いに交わる接線方向に第３接線を有し、該第１ブレード体中線及び前記第２端が互いに回る接線方向に第４接線を有し、該第３、第４接線が共同で第１出風角を定義し、該第３端が共同で第３ピッチ円を定義し、該第３ピッチ円及び該第３端が互いに交わる接線方向に第５接線を有し、該第２ブレード体が第２ブレード体中線を定義し、該第２ブレード体中線及び該第３端が互いに交わる接線方向に第６接線を有し、該第５接線及び該第６接線が互いに交わり、共同で第２入風角を定義し、該第４端が共同で第４ピッチ円を定義し、該第４ピッチ円及び該第４端が互いに交わる接線方向に第７接線を有し、該第２ブレード体中線及び該第４端が互いに交わる接線方向に第８接線を有し、該第７、第８接線は、共同で第２出風角を定義する請求項１８に記載の遠心ファンブレード構造。
【請求項２０】
前記第１入風角は、前記第２入風角より大きいか、等しい請求項１９に記載の遠心ファンブレード構造。
【請求項２１】
前記第１出風角は、前記第２出風角より大きいか、等しい請求項１９に記載の遠心ファンブレード構造。
【請求項２２】
前記第１入風角は、前記第２入風角より小さいか、等しい請求項１９に記載の遠心ファンブレード構造。
【請求項２３】
前記第１出風角は、前記第２出風角より小さいか、等しい請求項１９に記載の遠心ファンブレード構造。
【請求項２４】
前記第２端の高さは、該第４端の高さより大きい請求項１８に記載の遠心ファンブレード構造。
【請求項２５】
前記第４端の高さは、該第２端の高さより大きい請求項１８に記載の遠心ファンブレード構造。
【請求項２６】
前記第１ブレード体の長さは、該第２ブレード体の長さより大きい請求項１７に記載の遠心ファンブレード構造。
【請求項２７】
前記第２ブレード体の長さは、該第１ブレード体の長さより大きい請求項１７に記載の遠心ファンブレード構造。
【請求項２８】
前記第１端は、該第３端と互いに対応する請求項１８に記載の遠心ファンブレード構造。
【請求項２９】
前記第１端は、該第３端と互いに対応せず、該第１、第２入風口が互いに対応しない請求項１９に記載の遠心ファンブレード構造。
【請求項３０】
前記第１ブレード体の数量は、該第２ブレード体の数量より多い請求項１７に記載の遠心ファンブレード構造。
【請求項３１】
前記第２ブレード体の数量は、該第１ブレード体の数量より多い請求項１７に記載の遠心ファンブレード構造。
【考案の詳細な説明】
【技術分野】
【０００１】
本考案は、遠心ファンブレード構造に関し、特に、二層式遠心ファンであり、上下層を少なくとも一層のブレード間の距離を不均等な距離に設置し、ブレードの舌口を通過する単音を低減することにより、ノイズを大幅に低減する遠心ファンブレード構造に関する。
【背景技術】
【０００２】
現在、電子産業は、急速に発展し、電子部材の性能は、絶え間なく向上され、演算速度が速くなるほど、発生する熱量が相対してより大きな熱量を発生し、該熱量を即時排出し解熱することができなければ、該電子部材の演算性能は、低減し、深刻であれば、焼損を起こすことがあるので、有限なシステム空間において、小型の遠心ファンを解熱に使用し、該遠心ファンは、主にフレーム、ファンハブ輪、及び該ファンハブ輪外部に環設する複数のブレード体を含み、該フレームの上方及び下方にそれぞれ入風口を有し、その側辺に出風口を有し、運転時、該ブレード体の回転が周囲の空気の流動を連動し、入風口から進入する軸方向の気流を該ファンハブ輪の径方向に沿った気流に転向した後、出風口から排出する。
【０００３】
遠心ファンの回転時、ホイールが不均一な尾流（non- uniform wake）及び舌部尖端の交互の作用によりノイズを発生し、ホイールと舌部尖端の隙間が狭い時、ノイズは、尾流の舌部尖端における衝撃及び舌部尖端付近の圧力差を受け、舌部尖端の振動（tongue oscillations）の影響を受け、隙間がホイール半径の２０％に到達する時、主なノイズ源は、ただ尾流の影響のみを残し、且つそれは、小さい。また、ホイール翼片の間に端の尾流（Short vane）を増加し、尾流の強度を減少でき、尾流の圧力の乱れ及びノイズに対する影響が比較的顕著でなくなる。従来技術は、以下の欠点を有する：
１．構造設計が限られる；
２．特性により上下入風比率を精巧に設計することができない；
３．ノイズが大きい。
【先行技術文献】
【特許文献】
【０００４】
【特許文献１】特開２０１１−４７３８９号公報
【考案の概要】
【考案が解決しようとする課題】
【０００５】
そこで、上記の従来技術の欠点を解決する為、本考案の目的は、ノイズを低減する遠心ファンブレード構造を提供することである。
【課題を解決するための手段】
【０００６】
上記の目的を達成する為、本考案は、遠心ファンブレード構造を提供し、それは、
ハブ輪、第１ブレード体組、第２ブレード体組を含み、
前記ハブ輪は、延伸部を有し、該延伸部は、第１側及び第２側を有し、
前記第１ブレード体組は、前記第１側に設けられ、該第１ブレード体組は、複数の第１ブレード体を有し、該第１ブレード体間に第１入風口及び第１出風口を有し、該第１出風口は、不均等な間隔を呈して設定され、前記第２ブレード体組は、前記第２側に設けれ、該第２ブレード体は、複数の第２ブレード体を有し、該第２ブレード体間に第２入風口及び第２出風口を有し、該第２出風口は、等間隔を呈して設置される。
【０００７】
上記目的を達成する為、本考案は、遠心ファンブレード構造を提供し、それは、ハブ輪、第１ブレード体組、第２ブレード体組を含み、
前記ハブ輪は、延伸部を有し、該延伸部は、第１側及び第２側を有し、
前記第１ブレード体組は、前記第１側に設けられ、該第１ブレード体組は、複数の第１ブレード体を有し、該第１ブレード体間に第１入風口及び第１出風口を有し、該第１出風口は、不均等な間隔を呈して設定され、前記第２ブレード体組は、前記第２側に設けられ、該第２ブレード体組は、複数の第２ブレード体を有し、該第２ブレード体間に第２入風口及び第２出風口を有し、該第２出風口は、不均等な間隔を呈して設置される。
【０００８】
上記の目的を達成する為、本考案は、遠心ファンブレード構造を提供し、それは、
ハブ輪、第１ブレード体組、第２ブレード体組を含み、
前記ハブ輪は、延伸部を有し、該延伸部は、第１側及び第２側を有し、
前記第１ブレード体組は、前記第１側に設けられ、該第１ブレード体組は、複数の第１ブレード体を有し、該第１ブレード体間に第１入風口及び第１出風口を有し、該第１出風口は、等間隔を呈して設定され、前記第２ブレード体組は、前記第２側に設けれ、該第２ブレード体は、複数の第２ブレード体を有し、該第２ブレード体間に第２入風口及び第２出風口を有し、該第２出風口は、不均等な間隔を呈して設置される。
【考案の効果】
【０００９】
前記第１、第２ブレード体組の第１出風口及び第２出風口の何れか１つが異なる間隔で設置されることを選択することにより、ブレードが舌口を通過する単音（BPF）を低減することができ、二層式のファン構造設計による周波数（BPF）を増加することができ、音圧加重量を低減し、ノイズを大幅に低減し、境界条件に基づき、上下のブレード構造を精巧に設計することができる。
【図面の簡単な説明】
【００１０】
【図１】本考案の遠心ファンブレード構造の第１実施例の立体図である。
【図２】本考案の遠心ファンブレード構造の第１実施例の断面図である。
【図３】本考案の遠心ファンブレード構造の第１実施例の局部拡大図である。
【図４】本考案の遠心ファンブレード構造の第１実施例の仰視図である。
【図５】本考案の遠心ファンブレード構造の第１実施例の局部拡大図である。
【図６】本考案の遠心ファンブレード構造の第２実施例の俯瞰図である。
【図７】本考案の遠心ファンブレード構造の第２実施例の仰視図である。
【図８】本考案の遠心ファンブレード構造の第３実施例の俯瞰図である。
【図９】本考案の遠心ファンブレード構造の第３実施例の仰視図である。
【図１０】本考案の遠心ファンブレード構造の第４実施例の俯瞰図である。
【図１１】本考案の遠心ファンブレード構造の第４実施例の仰視図である。
【図１２】本考案の遠心ファンブレード構造の第５実施例の側面図である。
【図１３】本考案の遠心ファンブレード構造の第６実施例の側面図である。
【図１４】本考案の遠心ファンブレード構造の第７実施例の俯瞰図である。
【図１５】本考案の遠心ファンブレード構造の第８実施例の側面図である。
【図１６】本考案の遠心ファンブレード構造の第９実施例の俯瞰図である。
【図１７】本考案の遠心ファンブレード構造の第１０実施例の俯瞰図である。
【図１８】本考案の遠心ファンブレード構造の第１１実施例の俯瞰図である。
【図１９】本考案の遠心ファンブレード構造の第１２実施例の俯瞰図である。
【図２０】本考案の遠心ファンブレード構造の第１３実施例の俯瞰図である。
【図２１】本考案の遠心ファンブレード構造の第１４実施例の俯瞰図である。
【図２２】本考案の遠心ファンブレード構造の第１５実施例の側面図である。
【考案を実施するための形態】
【００１１】
本考案の上記目的及びその構造及び機能上の特性は、図面に基づく好適実施例を挙げて説明する。
【００１２】
図１、図２、図３、図４、図５は、本考案の遠心ファンブレード構造の第１実施例の立体、俯瞰、仰視図であり、図に示すように、前記遠心ファンブレード構造1は、ハブ輪１１、第１ブレード体組１２、第２ブレード体組１３を含み、
前記ハブ輪１１は、延伸部１１１を有し、該延伸部１１１は、第１側１１１１及び第２側１１１２を有し、該延伸部１１１は、該ハブ輪１１周側から該ハブ輪１１に相反する方向へ延伸して構成される。
【００１３】
前記第１ブレード体組１２は、前記第１側１１１１に設けられ、該第１ブレード体組は、複数の第１ブレード体１２１を有し、該第１ブレード体１２１間は、第１入風口１２２及び第１出風口１２３を有し、該第１出風口１２３は、不均等な間隔を呈して設置される。
【００１４】
前記第２ブレード体組１３は、前記第２側１１１２に設けられ、該第２ブレード体組１３は、複数の第２ブレード体１３１を有し、該第２ブレード体１３１間に第２入風口１３２及び第２出風口１３３を有し、該第２出風口１３３は、等間隔に設置される。
【００１５】
前記第１ブレード体組１２は、該延伸部１１１の第１側１１１１から該ハブ輪１１に相反する方向へ延伸して構成され、該第１ブレード体１２１は、第１端１２１１及び第２端１２１２を有し、該第１入風口１２２は、２つの隣り合う第１ブレード体１２１の第１端１２１１により共同で定義され、該第１出風口１２３は、２つの隣り合う第２端１２１２にとり共同で定義され、前記第２ブレード体組１３は、該延伸部１１１の第２側１１１２から該ハブ輪１１に相反する方向へ延伸して構成され、該第２ブレード体１３１に第３端１３１１及び第４端１３１２を有し、該第２入風口１３２は、２つの隣り合う第３端１３１１により共同で定義され、該第２出風口１３３は、２つの隣り合う第４端１３１２により共同で定義されて構成される。
【００１６】
該第１端１２１１は、共同で第ピッチ円１２４を定義し、該第１ピッチ円１２４及び該第１端１２１１が互いに交わる接線方向に第１接線１２５を有し、該第１ブレード体１２１が第１ブレード体中線１２１３を定義し、該第１ブレード体中線１２１３及び該第１端１２１１の互いに交わる接線方向に第２接線１２６を有し、該第２接線１２６及び該第１接線１２５は、互いに交わり、第１入風角１２aを共同で定義し、該第２端１２１２は、第２ピッチ円１２７を共同で定義し、該第２ピッチ円１２７及び該第２端１２１２の互いに交わる接線方向に第３接線１２８を有し、該第１ブレード体中線１２１３及び前記第２端１２１２が互いに交わる接線方向に第４接線１２９を有し、該第３、４接線１２８，１２９は、第１出風角１２bを共同で定義し、該第３端１３１１は、第３ピッチ円１３４を共同で定義し、該第３ピッチ円１３４及び該第３端１３１１が互いに交わる接線方向に第５接線１３５を有し、該第２ブレード体１３１は、第２ブレード体中線１３１３を定義し、該第２ブレード体中線１３１３及び該第３端１３１１が互いに交わる接線方向に第６接線１３６を有し、該第５接線１３５及び該第６接線１３６は、互いに交わり、第２入風角１３aを共同で定義し、該第４端１３１２は、第４ピッチ円１３７を共同で定義し、該第４ピッチ円１３７及び該第４端１３１２が互いに交わる接線方向に第７接線１３８を有し、該第２ブレード体中線１３１３及び該第４端１３１２が互いに交わる接線方向に第８接線１３９を有し、該第７、８接線１３８，１３９は、第２出風角１３bを共同で定義し、本実施例の第１入風角１２aは、前記第１入風角１３aより大きいか等しい。
【００１７】
前記第１、第２ブレード体軸線１２１３，１３１３は、該第１、第２ブレード体１２１，１３１に沿って延伸し、且つ同一の曲率を有し、第１、第２ブレード体軸線１２１３，１３１３は、それぞれ該第１、第２ブレード体１２１，１３１の縦向きの厚さの中線であり、即ち、第１ブレード体中線１２１３を基準とすれば、該第１ブレード体中線１２１３から該第１ブレード体中線１２１３両側に延伸する幅が同一の幅であり、これに対し、第２ブレード体中線１３１３及び該第２ブレード体１３１の関係も第１ブレード体中線１２１３及び該第１ブレード体１３１の関係と同一である。
【００１８】
図６、図７を参照し、それは、本考案の遠心ファンブレード構造の第２実施例の俯瞰図、仰視図であり、図に示すように、本実施例の一部の構造は、前記第１実施例と同一であるので、ここでは再度記載せず、本実施例及び前記第１実施例の差異は、前記第１出風角１２bが前記第２出風角１３bより小さいか等しいことにある。
【００１９】
図８、図９を参照し、それは、本考案の遠心ファンブレード構造の第３実施例の俯瞰図、仰視図であり、図に示すように、本実施例の一部の構造は、前記第１実施例と同一であるので、ここでは再度記載せず、本実施例及び前記第１実施例の差異は、前記第１入風角１２ａが前記第２入風角１３ａより小さいか等しいことにある。
【００２０】
図１０、図１１を参照し、それは、本考案の遠心ファンブレード構造の第４実施例の俯瞰図、仰視図であり、図に示すように、本実施例の一部の構造は、前記第１実施例と同一であるので、ここでは再度記載せず、本実施例及び前記第１実施例の差異は、前記第１出風角１２ｂが前記第２出風角１３ｂより大きいか等しいことにある。
【００２１】
図１２を参照し、それは、本考案の遠心ファンブレード構造の第５実施例の側面図であり、図に示すように、本実施例の一部の構造は、前記第１実施例と同一であるので、ここでは再度記載せず、本実施例及び前記第１実施例の差異は、前記第２端１２１２の高さが該第４端１３１２の高さより大きいことにある。
【００２２】
図１３を参照し、それは、本考案の遠心ファンブレード構造の第６実施例の側面図であり、図に示すように、本実施例の一部の構造は、前記第１実施例と同一であるので、ここでは再度記載せず、本実施例及び前記第１実施例の差異は、前記第４端１３１２の高さが該第２端１２１２の高さより大きいことにある。
【００２３】
図１４を参照し、それは、本考案の遠心ファンブレード構造の第７実施例の俯瞰図であり、図に示すように、本実施例の一部の構造は、前記第１実施例と同一であるので、ここでは再度記載せず、本実施例及び前記第１実施例の差異は、前記第１ブレード体１２１の長さが該第２ブレード体１３１の長さより大きいことにある。
【００２４】
図１５を参照し、それは、本考案の遠心ファンブレード構造の第８実施例の俯瞰図であり、図に示すように、本実施例の一部の構造は、前記第１実施例と同一であるので、ここでは再度記載せず、本実施例及び前記第１実施例の差異は、前記第２ブレード体１３１の長さが該第１ブレード体１２１の長さより大きいことにある。
【００２５】
図１６を参照し、それは、本考案の遠心ファンブレード構造の第９実施例の俯瞰図であり、図に示すように、本実施例の一部の構造は、前記第１実施例と同一であるので、ここでは再度記載せず、本実施例及び前記第１実施例の差異は、第１端１２１１が該第３端１３１１と互いに対応し、該第１、第２出風口１２３，１３３が互いに対応しないことにある。
【００２６】
図１７を参照し、それは、本考案の遠心ファンブレード構造の第１０実施例の俯瞰図であり、図に示すように、本実施例の一部の構造は、前記第１実施例と同一であるので、ここでは再度記載せず、本実施例及び前記第１実施例の差異は、該第１端１２１１が該第３端１３１１と互いに対応せず、該第１、第２入風口１２２，１３２が互いに対応しないことにある。
【００２７】
図１８を参照し、それは、本考案の遠心ファンブレード構造の第１１実施例の俯瞰図であり、図に示すように、本実施例の一部の構造は、前記第１０実施例と同一であるので、ここでは再度記載せず、本実施例及び前記第１０実施例の差異は、該第１端１２１１が該第３端１３１１と互いに対応せず、該第１、第２入風口１２２，１３２が互いに対応しないことにある。
【００２８】
図１９を参照し、それは、本考案の遠心ファンブレード構造の第１２実施例の俯瞰図であり、図に示すように、本実施例の一部の構造は、前記第１実施例と同一であるので、ここでは再度記載せず、本実施例及び前記第１実施例の差異は、該第１ブレード体１２１の数量が該第２ブレード体１３１の数量より多いことにある。
【００２９】
図２０を参照し、それは、本考案の遠心ファンブレード構造の第１３実施例の俯瞰図であり、図に示すように、本実施例の一部の構造は、前記第１実施例と同一であるので、ここでは再度記載せず、本実施例及び前記第１実施例の差異は、該第２ブレード体１３１の数量が該第１ブレード体１２１の数量より多いことにある。
【００３０】
図２１を参照し、それは、本考案の遠心ファンブレード構造の第１４実施例の俯瞰図であり、図に示すように、本実施例の一部の構造は、前記第１実施例と同一であるので、ここでは再度記載せず、本実施例及び前記第１実施例の差異は、該第１出風口１２３が等間隔で設置され、該第２出風口１３３が不均等を呈して設置されることにあり、本実施例は、前記第２〜１３実施例が開示する構造技術特徴をその他の実施形態に変換することも可能である。
【００３１】
図２２を参照し、それは、本考案の遠心ファンブレード構造の第１５実施例の俯瞰図であり、図に示すように、本実施例の一部の構造は、前記第１実施例と同一であるので、ここでは再度記載せず、本実施例及び前記第１実施例の差異は、該第１出風口１２３が不均等な間隔を呈して設置され、該第２出風口１３３が不均等を呈して設置されることにあり、本実施例は、前記第２〜１３実施例が開示する構造技術特徴をその他の実施形態に変換することも可能である。
【符号の説明】
【００３２】
１  遠心ファンブレード構造
１１  ハブ輪
１１１  延伸部
１１１１  第１側
１１１２  第２側
１２  第１ブレード体組
１２ａ  第１入風角
１２ｂ  第１出風角
１２１  第１ブレード体
１２１１  第１端
１２１２  第２端
１２１３  第１ブレード体中線
１２２  第１入風口
１２３  第１出風口
１２４  第１ピッチ円
１２５  第１接線
１２６  第２接線
１２７  第２ピッチ円
１２８  第３接線
１２９  第４接線
１３  第２ブレード体組
１３ａ  第２入風角
１３ｂ  第２出風角
１３１  第２ブレード体
１３１１  第３端
１３１２  第４端
１３１３  第２ブレード体中線
１３２  第２入風口
１３３  第２出風口
１３４  第３ピッチ円
１３５  第５接線
１３６  第６接線
１３７  第４ピッチ円
１３８  第７接線
１３９  第８接線
【図１】
0003179754.tif 000003
【図２】
0003179754.tif 000004
【図３】
0003179754.tif 000005
【図４】
0003179754.tif 000006
【図５】
0003179754.tif 000007
【図６】
0003179754.tif 000008
【図７】
0003179754.tif 000009
【図８】
0003179754.tif 000010
【図９】
0003179754.tif 000011
【図１０】
0003179754.tif 000012
【図１１】
0003179754.tif 000013
【図１２】
0003179754.tif 000014
【図１３】
0003179754.tif 000015
【図１４】
0003179754.tif 000016
【図１５】
0003179754.tif 000017
【図１６】
0003179754.tif 000018
【図１７】
0003179754.tif 000019
【図１８】
0003179754.tif 000020
【図１９】
0003179754.tif 000021
【図２０】
0003179754.tif 000022
【図２１】
0003179754.tif 000023
【図２２】
0003179754.tif 000024